(57)【要約】      （修正有）【課題】省スペース化、大量管理、保存に便利であり、管理コストも低減できる検体封止体を提供する。【解決手段】検体封止体１は、折り畳みライン１１を境にして展開状態から折り畳み状態とする四角形状の検体用基体２を用いて、血液、血清、細胞等の検体を内部に密封保持するものであり、検体用基体２の一面側における折り畳みライン１１を境とする一方側を、検体を付着又は吸収する検体保持部１２及び貼付層１３を備えた四角形状の検体保持片１４とし、他方側を貼付層１３に貼り付けて検体保持部１２上を密封する四角形状で摘まみ片１６付きの封止片１５とし、検体保持片１４の裏面側を剥離紙付きで貼付層を備えた貼付領域とし、封止片１５の裏面側を検体情報に対応するバーコード若しくは２次元コードをはじめとする各種可視情報Ｂのバーコード印刷領域若しくは２次元コード印刷領域をはじめとする各種可視情報印刷領域とした構成からなる。【選択図】図５
0003149974.tif 000002
【実用新案登録請求の範囲】
【請求項１】
折り畳みラインを境にして展開状態から折り畳み状態とする検体用基体を用いて、血液、血清、細胞等の検体を内部に密封保持する検体封止体であって、
前記検体用基体の一面側における折り畳みラインを境とする一方側を、検体を付着又は吸収する検体保持部及び貼付層を備えた検体保持片とし、他方側を前記貼付層に貼り付けて前記検体保持部上を密封する封止片とするとともに、前記検体保持片の裏面側を剥離紙付きで貼付層を備えた貼付対象物への貼付領域とし、前記封止片の裏面側を検体情報に対応するバーコード印刷領域若しくは２次元コード印刷領域をはじめとする各種可視情報印刷領域としたことを特徴とする検体封止体。
【請求項２】
折り畳みラインを境にして展開状態から折り畳み状態とする四角形状の検体用基体を用いて、血液、血清、細胞等の検体を内部に密封保持する検体封止体であって、
前記検体用基体の一面側における折り畳みラインを境とする一方側を、検体を付着又は吸収する検体保持部及び貼付層を備えた四角形状の検体保持片とし、他方側を前記貼付層に貼り付けて前記検体保持部上を密封する四角形状で摘まみ片付きの封止片とするとともに、前記検体保持片の裏面側を剥離紙付きで貼付層を備えた貼付対象物への貼付領域とし、前記封止片の裏面側を検体情報に対応するバーコード印刷領域若しくは２次元コード印刷領域をはじめとする各種可視情報印刷領域としたことを特徴とする検体封止体。
【請求項３】
折り畳みラインを境にして展開状態から折り畳み状態とする検体用基体を用いて、血液、血清、細胞等の検体を内部に密封保持する検体封止体であって、
前記検体用基体の一面側における折り畳みラインを境とする一方側を、検体を付着又は吸収する検体保持部及び貼付層を備えた検体保持片とし、他方側を前記貼付層に貼り付けて前記検体保持部上を密封保持する封止片とするとともに、前記検体保持片の裏面側を剥離紙付きで貼付層及び検体情報を書き込み、読み出しするＩＣタグを備えた貼付対象物への貼付領域とし、前記封止片の裏面側を検体情報に対応するバーコード印刷領域若しくは２次元コード印刷領域をはじめとする各種可視情報印刷領域としたことを特徴とする検体封止体。
【請求項４】
折り畳みラインを境にして展開状態から折り畳み状態とする四角形状の検体用基体を用いて、血液、血清、細胞等の検体を内部に密封保持する検体封止体であって、
前記検体用基体の一面側における折り畳みラインを境とする一方側を、検体を付着又は吸収する検体保持部及び貼付層を備えた四角形状の検体保持片とし、他方側を前記貼付層に貼り付けて前記検体保持部上を密封する四角形状で摘まみ片付きの封止片とするとともに、前記検体保持片の裏面側を剥離紙付きで貼付層及び検体情報を書き込み、読み出しするＩＣタグを備えた貼付対象物への貼付領域とし、前記封止片の裏面側を検体情報に対応するバーコード印刷領域若しくは２次元コード印刷領域をはじめとする各種可視情報印刷領域としたことを特徴とする検体封止体。
【請求項５】
折り畳みラインを境にして展開状態から折り畳み状態とする四角形状の検体用基体の一面側における前記折り畳みラインの一方側を、血液、血清、細胞等の検体を付着又は吸収した検体保持部及び貼付層を備えた四角形状の検体保持片とし、他方側に設けた四角形状で摘まみ片付きの封止片を折り畳み貼付層に貼り付けて前記検体保持部上を密封するとともに、前記封止片の裏面側における検体情報に対応するバーコード若しくは２次元コードをはじめとする各種可視情報を印刷したバーコード印刷領域若しくは２次元コード印刷領域をはじめとする各種可視情報印刷領域が表出するようにして、前記検体保持片の裏面側に設けた貼付層を貼付基材へ貼り付け状態とした多数の検体封止体を列設状態に備えることを特徴とする検体封止体群保存物体。
【請求項６】
折り畳みラインを境にして展開状態から折り畳み状態とする四角形状の検体用基体の一面側における前記折り畳みラインの一方側を、血液、血清、細胞等の検体を付着又は吸収した検体保持部及び貼付層を備えた四角形状の検体保持片とし、他方側に設けた四角形状で摘まみ片付きの封止片を折り畳み貼付層に貼り付けて前記検体保持部上を密封するとともに、前記封止片の裏面側における検体情報に対応するバーコード若しくは２次元コードをはじめとする各種可視情報を印刷したバーコード印刷領域若しくは２次元コード印刷領域をはじめとする各種可視情報印刷領域が表出するようにして、前記検体保持片の裏面側に検体情報を読み出し可能に記憶したＩＣタグとともに設けた貼付層を貼付基材へ貼り付け状態とした多数の検体封止体を列設状態に備えることを特徴とする検体封止体群保存物体。
【考案の詳細な説明】
【技術分野】
【０００１】
本考案は、検体封止体及び検体封止体保存物体に関し、詳しくは、血液、血清、細胞等の検体を採取して密封状態とし、効率よく管理できる検体封止体及び検体封止体保存物体に関するものである。
【背景技術】
【０００２】
従来、一般的に、血液、血清、細胞等の検体を大量に採取し検査や管理を行う場合には、例えば、シャーレーや試験管等の容器を用いて、検体をその内部に収容するとともに、各容器に個々の検体を識別するためのバーコード情報等を印刷したバーコードラベルを貼り付けて臨床検査や保存管理に供していた。
【０００３】
このよう検体の保存管理手法では、特に検体を収容した容器が大量である場合には極めて煩雑な作業を余儀なくされ、容器の保管場所や保管スペースの点、管理コストの点等種々の問題があり、全体として処理効率が良好でなかった。
【０００４】
特許文献１には、識別情報を記憶したタグを付着した試験管に血液等の検体を収容して、このような試験管をラックに列設して、タグリーダにより各識別情報を読み取って個々の検体の管理を総合的に行うようにした検体処理装置が提案されている。
【０００５】
この特許文献１の場合も、検体を収容した試験管をラックに列設して管理を行う構成であるため、やはり多数の検体の保管場所や保管スペースの点で問題があった。
【先行技術文献】
【特許文献】
【０００６】
【特許文献１】特開２００２−４００３３号公報
【考案の概要】
【考案が解決しようとする課題】
【０００７】
本考案が解決しようとする問題点は、省スペース化を図ることができ、大量管理、保存に便利であり、管理コストも低減でき、全体として処理効率が極めて良好な検体封止体及び検体封止体保存物体が存在しない点である。
【課題を解決するための手段】
【０００８】
本考案は、折り畳みラインを境にして展開状態から折り畳み状態とする検体用基体を用いて、血液、血清、細胞等の検体を内部に密封保持する検体封止体であって、前記検体用基体の一面側における折り畳みラインを境とする一方側を、検体を付着又は吸収する検体保持部及び貼付層を備えた検体保持片とし、他方側を前記貼付層に貼り付けて前記検体保持部上を密封する封止片とするとともに、前記検体保持片の裏面側を剥離紙付きで貼付層を備えた貼付対象物への貼付領域とし、前記封止片の裏面側を検体情報に対応するバーコード印刷領域若しくは２次元コード印刷領域をはじめとする各種可視情報印刷領域としたことを最も主要な特徴とする。
【考案の効果】
【０００９】
請求項１記載の考案によれば、検体を内部に密封保持し検体に対応するバーコード若しくは２次元コードをはじめとする各種可視情報を表出させた態様の基に、検体の検査や保管に供することができ、従来例に比べ省スペース化を図ることができ、保存に便利であり、管理コストも低減でき、バーコード若しくは２次元コードをはじめとする各種可視情報の読み取りも極めて容易で全体として検体の検査や管理の効率向上を図ることが可能な検体封止体を提供することができる。
【００１０】
請求項２記載の考案によれば、摘まみ片付きの封止片を含む四角形状の検体用基体を用い、検体を内部に密封保持し検体に対応するバーコード若しくは２次元コードをはじめとする各種可視情報を表出させた態様の基に、請求項１記載の考案の場合と同様、検体の検査や保管に供することができ、従来例に比べ省スペース化を図ることができ、保存に便利であり、管理コストも低減でき、バーコード若しくは２次元コードをはじめとする各種可視情報の読み取りも極めて容易で全体として検体の検査や管理の効率向上を図ることが可能な検体封止体を提供することができる。
【００１１】
請求項３記載の考案によれば、検体を内部に密封保持し検体に対応するバーコード若しくは２次元コードをはじめとする各種可視情報を表出させ、更に、検体情報を記憶するＩＣタグを備えた態様の基に、検体の検査や保管に供することができ、従来例に比べ省スペース化を図ることができ、保存に便利であり、管理コストも低減でき、バーコード若しくは２次元コードをはじめとする各種可視情報の読み取りも極めて容易であり、検体情報のコンピュータ管理も簡略容易で、全体として検体の検査や管理の効率向上を図ることが可能な検体封止体を提供することができる。
【００１２】
請求項４記載の考案によれば、摘まみ片付きの封止片を含む四角形状の検体用基体を用い、検体を内部に密封保持し検体に対応するバーコード若しくは２次元コードをはじめとする各種可視情報を表出させ、更に、検体情報を記憶するＩＣタグを備えた態様の基に、請求項３記載の考案の場合と同様、検体の検査や保管に供することができ、従来例に比べ省スペース化を図ることができ、保存に便利であり、管理コストも低減でき、バーコード若しくは２次元コードをはじめとする各種可視情報の読み取りも極めて容易であり、検体情報のコンピュータ管理も簡略容易で、全体として検体の検査や管理の効率向上を図ることが可能な検体封止体を提供することができる。
【００１３】
請求項５記載の考案によれば、保存用貼付基材一面において各検体封止体の各バーコード若しくは２次元コードをはじめとする各種可視情報を表出させた態様の基に、各検体の検査や保管に供することができ、従来例に比べ省スペース化を図ることができ、保存に便利であり、管理コストも低減でき、各検体の検査や管理の効率向上を図ることができる検体封止体保存物体を提供することができる。
【００１４】
請求項６記載の考案によれば、請求項５記載の考案の場合と同様な効果を奏することに加え、各検体封止体により密封保持された検体のタグリーダ／ライタやコンピュータ装置を使用した一括管理も簡略容易であり、大量一括処理も可能な検体封止体保存物体を提供することができる。
【図面の簡単な説明】
【００１５】
【図１】本考案の実施例１に係る検体封止体の折り畳み状態の平面図である。
【図２】本実施例１に係る検体封止体の未使用状態における貼付基材への列設状態を示す概略平面図である。
【図３】本実施例１に係る検体封止体の貼付基材から剥した状態を示す概略平面図である。
【図４】本実施例１に係る検体封止体を貼付基材から剥し、剥離紙を除去した状態を示す概略平面図である。
【図５】本実施例１に係る検体封止体における貼付基材から剥しかつ左右反転した状態を示す概略平面図である。
【図６】本実施例１に係る検体封止体における検体の採取状態を示す説明図である。
【図７】本実施例１に係る検体封止体における封止片による封止状態を示す説明図である。
【図８】本実施例１に係る検体密封済みの一つの検体封止体を保存用貼付基材に貼り付けた状態を示す概略平面図である。
【図９】本考案の実施例２に係る検体封止体を貼付基材から剥し、剥離紙を除去した状態を示す概略平面図である。
【図１０】本実施例２に係る検体封止体における封止片による封止状態を示す説明図である。
【図１１】本実施例２に係る検体密封済みの一つの検体封止体を保存用貼付基材に貼り付けた状態を示す概略平面図である。
【図１２】本考案の実施例３に係る実施例１の検体封止体に対応する検体封止体保存物体を示す概略平面図である。
【図１３】本考案の実施例３に係る実施例２の検体封止体に対応する検体封止体保存物体を示す概略平面図である。
【考案を実施するための最良の形態】
【００１６】
本考案は、省スペース化を図ることができ、大量管理、保存に便利であり、管理コストも低減でき、全体として処理効率が極めて良好な検体封止体を提供するという目的を有するものである。
【００１７】
本考案は、折り畳みラインを境にして展開状態から折り畳み状態とする四角形状の検体用基体を用いて、血液、血清、細胞等の検体を内部に密封保持する検体封止体であり、前記検体用基体の一面側における折り畳みラインを境とする一方側を、検体を付着又は吸収する検体保持部及び貼付層を備えた四角形状の検体保持片とし、他方側を前記貼付層に貼り付けて前記検体保持部上を密封する四角形状で摘まみ片付きの封止片とするとともに、前記検体保持片の裏面側を剥離紙付きで貼付層を備えた貼付対象物への貼付領域とし、前記封止片の裏面側を検体情報に対応するバーコード印刷領域若しくは２次元コード印刷領域をはじめとする各種可視情報印刷領域とした構成により上記目的を実現した。
【実施例】
【００１８】
以下に、本考案の実施例に係る検体封止体及び検体封止体保存物体について詳細に説明する。
【００１９】
（実施例１）
図１乃至図８を参照して、本考案の実施例１に係る検体封止体１について説明する。
【００２０】
本実施例１に係る検体封止体１は、紙製又は樹脂フィルム製からなり、四角形状に形成した検体用基体２を図１に示すように二つ折りに折り畳み、その内部に血液、血清、細胞等の検体３を密封保持するようにしたものである。
【００２１】
すなわち、本実施例１に係る検体封止体１は、未使用状態では図２に示すように紙葉状の貼付基材４の一面に展開状態で、かつ、多数列設状態で貼り付けておき、検体３を採取する際には図３に示すように一つずつ貼付基材４から剥がして使用に供するように構成している。
【００２２】
本実施例１に係る検体封止体１について図３乃至図５を参照して詳述すると、四角形状に形成した検体用基体２の中央部に折り畳みライン１１を設け、図５に示すように、前記検体用基体２の一面側における折り畳みライン１１を境とする一方側を、中央部に検体３を付着又は吸収する例えば綿材等により形成した検体保持部１２を設け、その周りに貼り付け、剥離可能な貼付層１３（斜線で示す）を備えた四角形状の検体保持片１４とし、他方側を前記貼付層１３に貼り付けて前記検体保持部１２上を密封する四角形状で摘まみ片１６付きの封止片１５としている。
【００２３】
なお、図５において、１５ａは、封止片１５の折り畳みライン１１側に設けた部分貼付層である。
【００２４】
また、図３、図４に示すように、前記検体保持片１４の裏面側（他面側：前記貼付基材４への貼り付け側）には、剥離紙１７付きで貼り付け、剥離可能な貼付層１８（斜線で示す）を設けて貼付対象物である貼付基材４等への貼付領域１９とし、更に、前記封止片１５の裏面側を検体情報に対応する可視情報（文字、図形等）、例えばバーコード、若しくは２次元コードＢのバーコード印刷領域若しくは２次元コード印刷領域をはじめとする各種可視情報印刷領域１５ｂとしている。
【００２５】
検体情報としては、採取対象者及び検体を特定するためのＩＤ番号、採取箇所、採取年月日、採取量等の諸情報を挙げることができる。
【００２６】
次に、図６乃至図８を参照して、本実施例１に係る検体封止体１による検体３の採取及び密封保持態様について説明する。
【００２７】
まず、前記検体封止体１を前記剥離紙１７を付けたまま貼付基材４から一つ剥し、図６に示すように、血液、血清、細胞等の検体３を検体保持片１４に付着又は吸収して保持する。
【００２８】
次に、図７に示すように、前記封止片１５の折り畳みライン１１を境として検体保持片１４上に貼り付け、検体保持部１２に付着又は吸収させた検体３を密封状態とする。
【００２９】
次に、前記剥離紙１７を剥した後、図８に示すように、紙葉状に形成した保存用貼付基材２０上に貼付領域１９を貼り付ける。
【００３０】
これにより、採取した検体３を検体保持部１２に付着又は吸収させた状態で二つ折りの検体用基体２内に密封保持した検体封止体１を保存用貼付基材２０上に貼り付けて、前記バーコード若しくは２次元コードをはじめとする各種可視情報Ｂを表出させた態様の基に、前記検体３の検査や保管に供することができ、従来例に比べて省スペース化を図ることができ、保存に便利であり、管理コストも低減でき、全体として検体３の検査や管理の効率向上を図ることができる。
【００３１】
また、図示しないバーコード等のリーダによる前記バーコード若しくは２次元コードをはじめとする各種可視情報Ｂの読み取りも極めて容易となる。
【００３２】
（実施例２）
図９乃至図１１を参照して、本考案の実施例２に係る検体封止体１Ａについて説明する。
【００３３】
なお、本実施例２に係る検体封止体１Ａにおいて、実施例１に係る検体封止体１の場合と同一の要素には同一の符号を付し、その詳細説明は省略する。
【００３４】
本実施例２に係る検体封止体１Ａは、実施例１に係る検体封止体１の構成に加えて、図９（剥離紙１７を除去した図４に対応する図）に示すように、前記貼付基材４等への貼付領域１９に、検体３に関する検体情報を書き込み、読み出し可能なＩＣタグチップ２２及びタグアンテナ２３を具備するＩＣタグ２１を貼り付けたことが特徴である。この他の構成は、実施例１に係る検体封止体１の場合と同様である。
【００３５】
本実施例２に係る検体封止体１Ａによれば、実施例１の場合と同様にして血液、血清、細胞等の検体３を検体保持片１４に付着又は吸収させた後、図１０に示すように、前記封止片１５の折り畳みライン１１を境として検体保持片１４上に貼り付け、検体保持部１２に付着又は吸収させた検体３を密封状態とし、更に前記剥離紙１７を剥した後、図１１に示すように、紙葉状に形成した保存用貼付基材２０上に前記ＩＣタグ２１とともに貼付領域１９を貼り付ける。
【００３６】
これにより、前記バーコード若しくは２次元コードをはじめとする各種可視情報Ｂを表出させた態様の基に、前記検体３の検査や保管に供することができ、従来例に比べ省スペース化を図ることができ、保存に便利であり、管理コストも低減でき、全体として検体３の検査や管理の効率向上を図ることができる。
【００３７】
また、図示しないバーコード等のリーダによる前記バーコード若しくは２次元コードをはじめとする各種可視情報Ｂの読み取りも極めて容易となる。
【００３８】
更に、本実施例２に係る検体封止体１Ａによれば、前記ＩＣタグ２１のＩＣタグチップ２２に予め図示しないタグリーダ／ライタやコンピュータ装置を使用して採取した検体３に対応する検体情報を記憶しておくことで、当該検体封止体１Ａにより密封保持された検体３のコンピュータ管理も簡略容易となる。
【００３９】
（実施例３）
図１２、図１３を参照して、本考案の実施例３に係る検体封止体保存物体３１、４１について説明する。
【００４０】
図１２は、実施例１の検体封止体１用の検体封止体保存物体３１を示すものであり、この検体封止体保存物体３１は、既述した図８に示す態様の検体封止体１を保存用貼付基材２０の一面に多数列設状態に配置したものである。
【００４１】
この検体封止体保存物体３１によれば、保存用貼付基材２０の一面において各検体封止体１の各バーコード若しくは２次元コードをはじめとする各種可視情報Ｂを表出させた態様の基に、各検体３の検査や保管に供することができ、従来例に比べ省スペース化を図ることができ、保存に便利であり、管理コストも低減でき、全体として各検体３の検査や管理の効率向上を図ることができる。
【００４２】
また、図示しないバーコード等のリーダによる前記各バーコード若しくは２次元コードをはじめとする各種可視情報Ｂの読み取りも極めて容易となる。
【００４３】
更に、上述したように構成した複数葉の検体封止体保存物体３１を綴じてファイル状とすることで、大量の検体３の検査や管理に極めて有意な検体封止体保存物体３１とすることができる。
【００４４】
図１３は、実施例２の検体封止体１Ａ用の検体封止体保存物体４１を示すもので、この検体封止体保存物体４１は、既述した図１１に示す態様の検体封止体１Ａを保存用貼付基材２０の一面に多数列設状態に配置したものである。
この検体封止体保存物体４１によれば、保存用貼付基材２０の一面において各検体封止体１Ａの各バーコード若しくは２次元コードをはじめとする各種可視情報Ｂを表出させた態様の基に、各検体３の検査や保管に供することができ、従来例に比べ省スペース化を図ることができ、保存に便利であり、管理コストも低減でき、全体として各検体３の検査や管理の効率向上を図ることができる。
【００４５】
また、図示しないバーコード等のリーダによる前記各バーコード若しくは２次元コードをはじめとする各種可視情報Ｂの読み取りも極めて容易となるとともに、前記各検体封止体１ＡのＩＣタグ２１のＩＣタグチップ２２に予め図示しないタグリーダ／ライタやコンピュータ装置を使用して採取した各検体３に対応する検体情報を記憶しておくことで、各検体封止体１Ａにより密封保持された検体３のタグリーダ／ライタやコンピュータ装置を使用した一括管理も簡略容易となる。
【００４６】
更に、上述したように構成した複数葉の検体封止体保存物体４１を綴じてファイル状とすることで、大量の検体３の検査や管理に極めて有意な検体封止体保存物体４１とすることができる。
【００４７】
なお、前記検体封止体１、１Ａの形状は、四角形状とする他、円形状、楕円形状、長楕円形状等種々の形態を採用とすることもでき、特に限定するものではない。
【産業上の利用可能性】
【００４８】
本考案は、臨床検査等の医療分野、薬品等の研究開発分野等に極めて広範に応用可能である。
【符号の説明】
【００４９】
１    検体封止体
１Ａ  検体封止体
２    検体用基体
３    検体
４    貼付基材
１１    折り畳みライン
１２    検体保持部
１３    貼付層
１４    検体保持片
１５    封止片
１５ａ  部分貼付層
１５ｂ  バーコード印刷領域若しくは２次元コード印刷領域をはじめとする各種可視情報印刷領域
１６    摘まみ片
１７    剥離紙
１８    貼付層
１９    貼付領域
２０    保存用貼付基材
２１    ＩＣタグ
２２    タグチップ
２３    タグアンテナ
３１    検体封止体保存物体
４１    検体封止体保存物体
Ｂ    バーコード若しくは２次元コードをはじめとする各種可視情報
【図１】
0003149974.tif 000003
【図２】
0003149974.tif 000004
【図３】
0003149974.tif 000005
【図４】
0003149974.tif 000006
【図５】
0003149974.tif 000007
【図６】
0003149974.tif 000008
【図７】
0003149974.tif 000009
【図８】
0003149974.tif 000010
【図９】
0003149974.tif 000011
【図１０】
0003149974.tif 000012
【図１１】
0003149974.tif 000013
【図１２】
0003149974.tif 000014
【図１３】
0003149974.tif 000015